(57)【特許請求の範囲】
【請求項１】
便器ボウルを有した樹脂製の本体部と、該本体部を壁面に固定するための壁固定部とが一体成形されてなり、
前記壁固定部は、手すりが取り付けられる取付部を備えており、
前記本体部は、背面側に両側方を側壁部で囲まれた空間を有しており、
前記壁固定部は前記空間内に配されており、前記取付部には前記手すりの脚部が前記側壁部を貫通して固定されるようになっていることを特徴とする小便器。
【請求項２】
請求項１において、
前記壁固定部は、前記壁面に固着された掛受け部材に掛止する掛部を有している、小便器。
【発明の詳細な説明】
【技術分野】
【０００１】
本発明は、樹脂製の本体部を有した小便器に関する。
【背景技術】
【０００２】
公衆トイレなどの小便器には、高齢者や障害者がつかまったり、寄りかかったりするための手すりが併設されているものがある。手すりには負荷がかかるので、強度を確保するために壁付け構造とすることが一般的である。
【０００３】
特許文献１のものは手すりが壁付けされるようになっているが、壁への取り付けを容易にするために、手すりに取付部（手すり取付板）が連結されており、その手すり取付板が壁に固定されるようになっている。なお、小便器は手すり取付板とは別に壁に設けられた小便器取付部に掛けられるようになっている。
【先行技術文献】
【特許文献】
【０００４】
【特許文献１】特開２００８−１４４４０３号公報
【発明の概要】
【発明が解決しようとする課題】
【０００５】
しかしながら、特許文献１のものは、手すりと小便器とは個別に壁付けするものであるから、それぞれの壁への取付作業を要する。また、手すりと小便器との位置関係を調節しなければならず、作業に多くの時間を要するおそれがある。
【０００６】
また、手すりと手すり取付板とは一体として扱われるため、施工済みの小便器に手すりを後付けする場合には小便器を取り外して作業を行う必要があり、その際に手すり取付板を壁に固定しなければならず、多くの作業時間を要することとなる。その場合には、上述した位置関係の調整も必要となるため、迅速な作業が行えないおそれがある。
【０００７】
また、迅速な作業を実施するために、手すりを小便器の本体部に直接取り付けできるようにすることも想定できるが、本体部には手すりの使用による負荷がかかるため、本体部の取付部分に割れや歪みが発生する可能性がある。
【０００８】
本発明は、このような事情を考慮して提案されたもので、その目的は、手すりを迅速に効率的に取り付けることができ、かつ小便器の本体部に手すりの使用による負荷がかかりにくい小便器を提供することにある。
【課題を解決するための手段】
【０００９】
上記目的を達成するために、本発明の小便器は、便器ボウルを有した樹脂製の本体部と、該本体部を壁面に固定するための壁固定部とが一体成形されてなり、前記壁固定部は、手すりが取り付けられる取付部を備えており、前記本体部は、背面側に両側方を側壁部で囲まれた空間を有しており、前記壁固定部は前記空間内に配されており、前記取付部には前記手すりの脚部が前記側壁部を貫通して固定されるようになっていることを特徴とする。
【発明の効果】
【００１０】
本発明の小便器によれば、手すりを迅速に効率的に取り付けることができ、かつ小便器の本体部に手すりの使用による負荷がかかりにくくすることができる。
【図面の簡単な説明】
【００１１】
【図１】本発明の一実施形態に係る小便器の説明図である。（ａ）は小便器の正面図、（ｂ）は（ａ）のＡ−Ａ線拡大断面図である。
【図２】（ａ）は小便器の側面図、（ｂ）は壁固定部（壁固定部材）の側面図である。
【図３】（ａ）は、小便器に対する手すりの取付構造を示す部分斜視図および一部拡大断面図である。（ｂ）は、小便器の取り付け対象である壁の縦断面図である。
【図４】手すりを取り付けた小便器が壁面に取り付けられた状態を示す斜視図である。
【図５】（ａ）（ｂ）は、手すりの取付構造の他の態様を示す部分斜視図である。
【発明を実施するための形態】
【００１２】
以下に、本発明の実施の形態について、添付図面にもとづいて説明する。
【００１３】
まず、本実施形態に係る小便器の概略基本構成について説明する。なお、以下の実施形態に係る小便器１の説明では、小便器１の便器ボウル１１の開口側を前と規定し、背面側を後ろと規定している。
【００１４】
本小便器１は、便器ボウル１１を有した樹脂製の本体部１０と、本体部１０を壁面３に固定するための壁固定部２０とが一体成形されてなる、男子小用の便器である。小便器１の壁固定部２０は、手すりが取り付けられる取付部２３を備えている。
【００１５】
この小便器１によれば、手すり３０を取り付けるための取付部２３を有した壁固定部２０が本体部１０に一体となっているため、小便器１の取付作業と手すり３０の取付作業とを個別に行う必要がなく、簡易な取付作業を実施することができる。特に、壁固定部２０が本体部１０に一体となっているから、手すり３０用の取付部２３と本体部１０との位置関係が確定しており、手すり３０の取り付けの際の本体部１０との位置調節が不要となり、取付作業の効率化を図ることができる。さらに、手すり３０は樹脂製の本体部１０に直接取り付けされないものであるため、手すり３０の使用による本体部１０への負荷を軽減することもできる。
【００１６】
ついで、本小便器１の詳細な構成および効果について、図１〜図４を参照して説明する。
【００１７】
本小便器１は、前面が開口した便器ボウル１１を有した樹脂製の本体部１０を備えてなる。この本体部１０は、上面部１２、底部１３、側壁部１４、前壁部１５を有しており、それらにより便器ボウル１１が形成されている。つまり便器ボウル１１は、図１（ａ）に示したように、前面が開口し、連続した内面（壁面１１ａ、底面１１ｂ）を有する凹所を備えている。なお、便器ボウル１１における背面側の壁面１１ａの上部には、洗浄水を吐出する洗浄ノズル１７が設けてある。
【００１８】
小便器１の本体部１０は、図１（ｂ）に示すように、便器ボウル１１内の壁面１１ａを形成しているボウル壁１０ａと、側壁部１４とが樹脂板で一体に形成され、背面側が開口した形状となっている。なお、本体部１０の下部には床固定部１６が設けてある（図２参照）。
【００１９】
この本体部１０は、図１（ｂ）に示すように、その背面側に両側方を側壁部１４、１４で囲まれた空間１８を有しており、その空間１８内に壁固定部２０が配されている。具体的には図１（ｂ）に示すように、背面の両側部に横断面Ｌ字状の壁固定部２０が一組（２つ）設けてある。この本体部１０と壁固定部２０とは、インサート成形法にて一体に成形されている。より具体的には、金型内にインサート品である壁固定部２０（壁固定部材２０Ａ）を装填した後、成型機に樹脂を注入し、そのインサート品を溶融樹脂で包み込み固化させ、樹脂とインサート品を一体化して小便器１が形成してある。
【００２０】
壁固定部材２０Ａは、小便器１を壁面３に固定するための部材であり、かつ手すり３０を取り付けるための部材でもある。このように２つの用途を有し、特に手すり３０の使用による負荷に耐え得る必要があるため、それらの用途に適した強固な材質の材料で形成されていることが望ましい。たとえば壁固定部材２０Ａとして、金属や強化樹脂、強度の高い木質材などが用いられることが望ましい。
【００２１】
なお、一体成形の手法としてはインサート成形法には限られないが、インサート成形法を採用することは、両部材の一体化工数の削減が図られ、小便器のコスト低減化に寄与するため、望ましい。
【００２２】
壁固定部２０は、図１（ｂ）に示すように、壁面３に係止取り付けされる壁固定片２１と、手すり３０を取り付けるための取付部２３とを有してＬ字状をなしている。この壁固定部２０の取付部２３が、本体部１０の側壁部１４の裏面に一体化されている。
【００２３】
図２（ａ）および図３（ａ）に示すように、取付部２３には、手すり３０を固定するための、雌ねじが形成された取付ねじ孔２４が開設されている。手すり３０を本体部１０に取り付けるために、この取付ねじ孔２４を含む周辺部表面が本体部１０の側壁部１４に形成された開口部１４ａにより露出している。図２（ａ）において２点鎖線で示した符号３０は、取り付けされる手すり３０である。なお、図３（ａ）および後で説明する図５（ａ）（ｂ）では、取付ねじ孔２４の雌ねじ（ねじ山）の図示は割愛している。
【００２４】
手すり３０は、図４にも図示してあるように、逆Ｕ字状の本体３１と、本体３１の両側の下端より後方に延びた脚部３２とを備えてなる。手すり３０は人がつかまるための棒状体とされ、本体３１には、寄りかかったときに体に負担がかからないようにクッション材３１ａが巻きつけてある。
【００２５】
このような手すり３０は、その２つの脚部３２がそれぞれの側壁部１４側に配設された壁固定部２０の取付部２３に、側壁部１４を貫通して固定されるようになっている。以下、これについて詳述する。
【００２６】
手すり３０の脚部３２の後端には、図３（ａ）に示すように固定具取付部３３が設けてある。固定具取付部３３は、図３（ａ）の部分拡大断面図に示すように、固定具であるボルト３５の頭部３５ａが収容される収容孔３３ｂと、ボルト３５の軸部３５ｂが挿通される挿通孔３３ｃとが連通してなる孔部３３ａが開設されている。
【００２７】
小便器１の本体部１０の側壁部１４には、壁固定部２０の取付部２３を露出させるための開口部１４ａが形成されている。この開口部１４ａは、切り欠き状に形成されており、図３（ａ）に示すように、四角形の一辺に半円を付加した形状とされ、それと同形状の固定具取付部３３を嵌め入れできるようになっている。この開口部１４ａは、金型成形の際に形成してもよいし、成形後に切除して形成してもよい。
【００２８】
開口部１４ａがこのような円形以外の形状であるため、開口部１４ａの内縁部が手すり３０の回動を禁止し得る。よって、開口部１４ａに手すり３０の固定具取付部３３が嵌め入れられボルト３５で固定されれば、その後、手すり３０がずれ動くことはほとんどない。
【００２９】
手すり３０は、本体部１０の開口部１４ａを介して露出された壁固定部２０の取付部２３に手すり３０の固定具取付部３３が配され、ボルト３５と取付部２３の取付ねじ孔２４とによって螺着されて、取付部２３に固定されるようになっている。なお、取付ねじ孔２４の代わりに雌ねじが形成されていない取付孔を設けて、ナット（不図示）を本体部１０の裏側に取り付けるようにしてもよい。また、手すり３０の固定具取付部３３を雄ねじ体で構成し、その雄ねじ体を雌ねじが形成されていない取付孔に挿入し、ナットで固定するようにしてもよい。
【００３０】
また図３（ａ）に示すように、壁固定部２０の壁固定片２１には、壁面３に取り付けた掛受け部材５（図３（ｂ）参照）に係止するための開口よりなる掛部２２が設けられている。壁固定片２１が壁面３に取り付けられた状態では掛受け部材５の掛受け部５ａが壁面３より斜め上方に突出しており、その掛受け部５ａが掛部２２の開口に挿入されることで、本体部１０が自重で壁掛けされる。掛部２２の開口は、装着操作をしやすくするために幅広に形成された下部側の装着用開口２２ａと、その上側に連続して開口し、掛受け部５ａの幅寸法に概ね合致した係止開口２２ｂとよりなる。
【００３１】
また、小便器１を床面７に設置する場合には、本体部１０を壁掛けした後、床固定部１６を床面７に固定すればよい。
【００３２】
このように本小便器１は壁掛け構造となっているため、小便器１の壁面３への取り付けを簡単に実施することができる。また、掛部２２が装着用開口２２ａと係止開口２２ｂとの合体開口よりなるため、小便器１の壁掛け作業がしやすく、掛受け部５ａが係止開口２２ｂに入り込み小便器１が壁掛けされた後には、横ずれが発生するおそれはほとんどない。
【００３３】
また、本実施形態のもののように壁固定部２０の取付部２３に取付ねじ部２４が設けられたものでは、小便器１を壁面３に壁掛けした状態でも手すり３０を後付けすることができる。後付けする場合であっても本体部１０を外す必要がないため、効率的な取付作業を行うことができる。手すり３０を先付けした小便器１を壁面３に設置する場合は、手すり３０を壁固定部２０に取り付けた状態で一体として設置することができ、作業の迅速化が図れる。
【００３４】
また上述したように、壁固定部２０が本体部１０に一体となっているため、本体部１０に対する手すり３０の位置関係が確定しているため、手すり３０の設置位置の調節を行う必要がなく、作業を迅速に行える。
【００３５】
また、手すり３０は壁固定部２０に取り付ける構造となっているため、手すり３０に対するもたれかかりなどによる本体部１０への負荷を軽減することもできる。ようするに、樹脂製の本体部１０に手すり３０を直接ボルト止めする構造ではないため、本体部１０の割れなどの損傷や歪みの発生を防止することができる。
【００３６】
さらに、壁固定部２０は本体部１０の背面側の空間１８に配されているため、外部にはほとんど露出せず、壁固定部２０が本体部１０とは別の素材（別の色）で形成されている場合でも、美観を損なうおそれはない。手すり３０の脚部３２が壁固定部２０の取付部２３に側壁部１４を貫通して固定されるようになっているので、取付部２３の露出もほとんどない。さらに、壁固定部２０の壁固定片２１を壁掛けできる構造となっているため、小便器１の取り付けはしやすい。
【００３７】
また、本実施形態の小便器１のように、本体部１０の開口部１４ａおよびそこに嵌め入れる固定具取付部３３を円形以外の形状とすれば、脚部３２ごとに１つのボルト３５で固定する構造あっても、両側壁部１４に固定したボルト３５が回動軸にはなり得ない。よって、取り付け後の手すり３０の回動や搖動を防止することができる。
【００３８】
手すり３０の回動を防止し、かつ本体部１０への負荷をさらに軽減するためには、手すり３０の取り付け態様として上記の構造の他に、図５（ａ）（ｂ）に示すものも採用することができる。これらは各脚部３２で複数の固定具（ボルト３５）で固定する構造となっている。
【００３９】
図５（ａ）のものは、手すり３０の脚部３２の端部に円盤状の固定具取付部３３が形成してあり、その固定具取付部３３に４つのボルト３５の挿通用の孔部３３ａが形成してある。この形状に対応して、壁固定部２０の取付部２３には４つの取付ねじ孔２４が形成してあり、本体部１０の側壁部１４に設けた円形の開口部１４ａより露出している。
【００４０】
また、図５（ｂ）のものは、手すり３０の固定具取付部３３の外形は図３に例示したものと概ね同様であるが、ボルト３５用の孔部３３ａが２つ開設されている点で相違する。この固定具取付部３３に対応して、壁固定部２０の取付部２３には２つの取付ねじ孔２４が形成してあり、本体部１０の側壁部１４に設けた開口部１４ａより露出している。
【００４１】
図５（ａ）（ｂ）に示したいずれの手すり３０も、１つの脚部３２に対応して複数の固定具（ボルト３５）で壁固定部２０に固定する構成であるため、手すり３０が回動するおそれはほとんどなく、本体部１０に開設した開口部１４に負担がかかることもない。
【００４２】
以上の実施形態では、壁固定部２０の取付部２３への手すり３０の取り付けを、雄ねじと雌ねじ（取付ねじ孔２４、ナット）との螺合によるものを示したが、壁固定部２０が木質材で形成されている場合には、木ねじを用いて手すり３０を取り付けてもよい。
【００４３】
また、壁固定部２０の取付部２３への手すり３０の取り付けは螺着には限定されない。たとえば、取付部に嵌合孔や嵌合凹部などを設け、手すりには嵌合突部などを設けて、それらの相互嵌合にて手すりを取り付けできる構造としてもよい。もちろんこの場合も、手すりが回動し得ないような嵌合係止構造とすることが望ましい。
【００４４】
以上に示した実施形態のものは、壁固定部２０が本体部１０の側壁部１４に設けられているが、これには限定されず、いずれの部位に形成されたものでもよい。たとえば、本体部１０のボウル壁１０ａの裏側に壁固定部が形成されたものとしてもよい。もちろん、形状はＬ字状には限定されない。また、手すり３０を取り付けるための取付部、壁面３に固定するための壁固定部のいずれか、あるいは両方が外部に露出するものであってもよい。
【符号の説明】
【００４５】
１            小便器
３            壁面
５            掛受け部材
１０          本体部
１１          便器ボウル
１４          側壁部
１４ａ        開口部
１８          空間
２０          壁固定部
２０Ａ        壁固定部材
２１          壁固定片
２２          掛部
２３          取付部
２４          取付ねじ孔
３０          手すり
３１          本体
３２          脚部
３３          固定具取付部
３３ａ        孔部
３３ｂ        収容孔
３３ｃ        挿通孔
３５          ボルト
３５ａ        頭部
３５ｂ        軸部
【図１】
0006685027.tif 000002
【図２】
0006685027.tif 000003
【図３】
0006685027.tif 000004
【図４】
0006685027.tif 000005
【図５】
0006685027.tif 000006